(57)【特許請求の範囲】
【請求項１】
球ならしを支持部材と球ならし本体との二部材に分割して設け、支持部材は軸通孔を貫設した筒部に支持片が一体に設けられると共に、該支持片に支持軸を架設し、また球ならし本体はタンクレールの球通路の通路巾とほぼ等しい厚さを有する立体形に形成されると共に、該球ならし本体の上部に前記支持軸を挿通可能な切溝を介して外部と連通する支持孔を開設してなり、前記支持軸を切溝から支持孔に挿通させることにより球ならし本体を支持部材に揺動自在に取り付けると共に、支持部材の軸通孔をタンクレールの上方の横軸に挿通して該支持部材を横軸に揺動自在に取り付けるように構成してなることを特徴とするパチンコ機のタンクレールに付設する球ならし構造。
【発明の詳細な説明】
【０００１】
【産業上の利用分野】
本発明は、パチンコ機のタンクレールに付設する球ならし構造に関するものである。
【０００２】
【従来の技術】
従来のパチンコ機では、遊技盤の裏面上部に球タンクを配置し、該球タンクのパチンコ球をタンクレールによりパチンコ球払出装置に流送するようにしている。そして、図８に示すようにタンクレール１００の上方に横軸１０１を設け、該横軸１０１に球ならし１０２を揺動自在に取り付けている。この球ならし１０２は周知のようにタンクレール１００のパチンコ球が重なって流下するようなことがあると、その重なったパチンコ球を側面で受け止めて一列に整列させる作用を果たすものであり、このため球ならし１０２には重なったパチンコ球の球圧にある程度打ち勝つように重錘１０３が設けられている。
【０００３】
【発明が解決しようとする課題】
しかしながら、このような従来の球ならし１０２は単に該球ならし１０２の上端の軸通孔１０４を横軸１０１に挿通して揺動自在に取り付けられているに過ぎないため、重なったパチンコ球が多いとその球圧により球ならし１０２が押されて揺動し、図９に示すように１段目と２段目のパチンコ球と球ならし１０２の重錘１０３による復帰力とが微妙にバランスして球詰りが発生し、パチンコ球払出装置にパチンコ球が供給されなくなる問題点がある。この問題点を解決するためには、例えば球ならし１０２を上下に分割される２部材で構成すると共に互いに自在に動くように連結することが考えられるが、作業上組み立てが簡単であることが望ましい。
【０００４】
そこで、本発明は、従来技術の有するこのような問題点にかんがみてなされたものであり、その目的とするところは、タンクレールにパチンコ球が重なって流下しても該タンクレール内において球詰りを生じさせることがなく、しかも組み立てが簡単にできるパチンコ機のタンクレールに付設する球ならし構造を提供しようとするものである。
【０００５】
【課題を解決するための手段】
上記目的を達成するために、本発明に係わるパチンコ機のタンクレールに付設する球ならし構造は、球ならしを支持部材と球ならし本体との二部材に分割して設け、支持部材は軸通孔を貫設した筒部に支持片が一体に設けられると共に、該支持片に支持軸を架設し、また球ならし本体はタンクレールの球通路の通路巾とほぼ等しい厚さを有する立体形に形成されると共に、該球ならし本体の上部に前記支持軸を挿通可能な切溝を介して外部と連通する支持孔を開設してなり、前記支持軸を切溝から支持孔に挿通させることにより球ならし本体を支持部材に揺動自在に取り付けると共に、支持部材の軸通孔をタンクレールの上方の横軸に挿通して該支持部材を横軸に揺動自在に取り付けるように構成したものである。
【０００６】
【作用】
このように構成されたパチンコ機のタンクレールに付設する球ならし構造は、タンクレールを重なって流下するパチンコ球が球ならし本体に接触すると、その球圧の状況に応じて球ならし本体が支持部材の支持軸を支点に揺動し、又は支持部材がタンクレール上方の横軸を支点に揺動してパチンコ球に流動作用を付与する。このため、タンクレールを重なって流下するパチンコ球の球圧と球ならしの復帰勢力とがバランスして球詰りを起こすようなことが少なくなりパチンコ球の整流がスムーズに行なわれる。
【０００７】
また、球ならし本体は切溝を介して支持孔に支持軸を嵌めるというワンタッチ操作で支持部材に取り付けられる。
【０００８】
【実施例】
以下に本発明の一実施例を図面と共に説明する。図１は本発明が適用されるパチンコ機の裏面図であり、１はパチンコ機の前面枠、２は前面枠１の裏面に着脱自在に取り付けられる遊技盤、３は遊技盤２の裏面に開閉自在に装着される合成樹脂製の機構板で、該機構板３の裏面上部には球タンク４が固着されている。また、球タンク４の下方に該球タンク４のパチンコ球を整列して導き出すタンクレール５が設けられており、該タンクレール５の下流端は屈曲レール６を介してパチンコ球払出装置７に接続されている。
【０００９】
前記タンクレール５は図２に示すように合成樹脂により機構板３に当接する後側壁８と底部９及び前側壁１０とにより上面が開口した樋状に形成されると共に、底部９には長手方向に仕切壁１１を設けて２条の球通路１２ａ，１２ｂが形成されている。また、タンクレール５の下流側の上方に位置する機構板３の裏面には、球通路１２ａ，１２ｂと直交状に横軸１３が一体に突出形成されている。この横軸１３は後述する球ならし１４を揺動自在に軸支するものであって、その先端がタンクレール５の前側壁１０内面に当接するようにその突出長さが選ばれる。
【００１０】
しかして、タンクレール５に付設する球ならし１４は、図３に示すように支持部材１５と、タンクレール５の各球通路１２ａ，１２ｂにそれぞれ対応する球ならし本体１６ａ，１６ｂとにより構成される。前記支持部材１５は前記横軸１３に挿通する軸通孔１５１を貫設した筒部１５２の両外側端に下方に突出する支持片１５３，１５３を一体に形成し、これらの支持片１５３，１５３間に支持軸１５４を水平に架設すると共に、該支持軸１５４は中間に仕切壁１５５を設けて前後に区画している。
【００１１】
一方、球ならし本体１６ａ，１６ｂは長円形であって、かつ各球通路１２ａ，１２ｂの通路巾とほぼ等しい厚さの立体形に形成されている。そして、該球ならし本体１６ａ，１６ｂの上部１６１，１６１に、切溝１６２，１６２を介して外部と連通する支持孔１６３，１６３を開設している。前記切溝１６２，１６２は支持部材１５の支持軸１５４が挿通可能の巾に形成され、支持孔１６３，１６３の直径より小さく形成している。また、球ならし本体１６ａ，１６ｂには重錘１６４，１６４がそれぞれ設けられている。
【００１２】
そして、上記した支持部材１５の仕切壁１５５で区画された両側の支持軸１５４にそれぞれ、球ならし本体１６ａ，１６ｂの上部１６１，１６１に設けた切溝１６２，１６２を当て支持孔１６３，１６３を嵌着させる。これにより、球ならし本体１６ａ，１６ｂが支持部材１５に揺動自在に支持され、一体構造をなす球ならし１４が組み立てられる。そして、筒部１５の挿通孔１５１を前記タンクレール５の上方の横軸１３に挿通し、これによって球ならし１４が揺動自在に取り付けられる。なお、球ならし本体１６ａ，１６ｂの下端とタンクレール５の底部９上面との間の距離は図４に示すように各球通路１２ａ，１２ｂを一列で流下するパチンコ球が球ならし本体１６ａ，１６ｂに接触しないように該パチンコ球の直径より若干大となるように選ばれる。
【００１３】
以上のように構成された本発明によれば、多くのパチンコ球がタンクレール５の各球通路１２ａ，１２ｂを重なって流下し、その球圧により球ならし本体１６ａ，１６ｂをそれぞれ揺動させるようなことがあっても、各球ならし本体１６ａ，１６ｂはパチンコ球の球圧の状況変化に応じて図５（ａ）に示すように支持軸１５４を支点に揺動し、又は図５（ｂ）に示すように横軸１３を支点に支持部材１５と一体に揺動してパチンコ球に常に流動作用を付与することになるため、各球通路１２ａ，１２ｂを重なって流下するパチンコ球どうし又はこれらのパチンコ球と各球ならし本体１６ａ，１６ｂの復帰作用力がバランスして起る球詰りが少なくなり、各球通路１６ａ，１６ｂのパチンコ球を確実に整流して流下させることができる。
また、球ならし本体１６ａ，１６ｂの支持孔１６３，１６３の直径を支持部材１５の支持軸１５４の直径より大きく形成することにより、球通路１２ａ，１２ｂを重なって流下するパチンコ球に複雑な流動作用を付与することができ、球詰りを起こす確率をさらに少なくすることができる。
【００１４】
図６及び図７は他の実施例に係る球ならし１４ａである。なお、図中本実施例と共通する部分は同一符号を付けて説明は省略する。この実施例では球ならし本体１６を２列の球通路１２ａ，１２ｂの通路巾と等しい厚さの立体形として１個に形成しており、支持部材１５の支持軸１５４の中間に仕切壁を設けないで形成し、逆に、球ならし本体１６の球当たり面に球通路１２ａ，１２ｂを仕切る仕切壁１１に対向する仕切翼１６５を突出させて一体に形成している。
この実施例の球ならし１４ａは、それぞれ１個の支持部材１５と球ならし本体１６との組み合わせで構成され、本実施例に比べ部品点数が減っているため、より簡単に組み立てることができる。
【００１５】
【発明の効果】
以上、説明したところから明らかなように、本発明に係わるパチンコ機のタンクレールに付設する球ならし構造は、タンクレールの上方に取り付けられる支持部材と該支持部材に揺動自在に取り付けられる球ならし本体とにより球ならしが構成されるので、タンクレール内のパチンコ球に常に流動作用を与えることができ、このため球詰りを少なくするという所期の目的を達成することができる。更に、支持部材の支持軸を切溝を介して支持孔に挿入するのみで球ならし本体が支持部材に組み付けられるので、球ならしの組み立てが極めて簡単に行なえ作業の容易化が図られるという効果も有する。
【図面の簡単な説明】
【図１】本発明が適用されるパチンコ機の裏面図。
【図２】図１のパチンコ機の要部の分解斜視図。
【図３】球ならしの分解斜視図。
【図４】球ならしの取付状態を示す要部断面図。
【図５】（ａ），（ｂ）は球ならしの作用説明図。
【図６】球ならしの他の実施例の斜視図。
【図７】同上分解斜視図。
【図８】従来技術の説明図。
【図９】従来技術の球詰り状態の説明図。
【符号の説明】
５                    タンクレール
１２ａ，１２ｂ        球通路
１３                  横軸
１４                  球ならし
１５                  支持部材
１５１                軸通孔
１５２                筒部
１５３，１５３        支持片
１５４                支持軸
１６ａ，１６ｂ        球ならし本体
１６２，１６２        切溝
１６３，１６３        支持孔
【図１】
0003688336.tif 000002
【図２】
0003688336.tif 000003
【図３】
0003688336.tif 000004
【図４】
0003688336.tif 000005
【図５】
0003688336.tif 000006
【図６】
0003688336.tif 000007
【図７】
0003688336.tif 000008
【図８】
0003688336.tif 000009
【図９】
0003688336.tif 000010